(57)【要約】【課題】使用者が加熱調理装置に付ききりで食品の１分加熱などの短時間運転を行う場合、情報端末装置にて適切な調理終了画面を表示する加熱調理システムを提供すること。【解決手段】加熱調理装置（高周波加熱装置）１と高周波加熱装置の運転状態を確認する情報端末装置１８と、高周波加熱装置と情報端末装置は両者間でデータを送受信するデータ通信手段１３ａ、１３ｂを、情報端末装置は高周波加熱装置の運転状態などを表示する表示手段１４とを備え、情報端末装置は、運転に要した時間が所定時間未満の場合、調理終了画面を表示しないようにしたため、使用者に対して既知の終了報知をしないので使い勝手向上が可能となる。【選択図】図３
2005207693.tif 000002
【特許請求の範囲】
【請求項１】
加熱調理装置の運転状態を確認する情報端末装置を備えた加熱調理システムであり、前記加熱調理装置と前記情報端末装置は運転状態などのデータを送信または受信するデータ通信手段をおのおの備え、前記情報端末装置は前記加熱調理装置の運転状態などを表示する表示手段を備え、前記情報端末装置は、前記加熱調理装置の運転終了時に、運転コースに要した時間が所定時間に満たない場合、前記表示手段に調理終了画面を表示しない加熱調理システム。
【請求項２】
情報端末装置は、前記加熱調理装置の運転コースに要した時間と比較する時間を設定する比較時間設定手段を備えた請求項１記載の加熱調理システム。
【請求項３】
情報端末装置は、調理終了画面を表示するか否かを設定する画面表示設定手段を備え、前記情報端末装置は、前記画面表示手段にて調理終了画面を表示する設定を行った場合、前記表示手段に一義的に調理終了画面を表示する請求項１記載の加熱調理システム。
【請求項４】
請求項１〜３のいずれか記載の加熱調理システムにて少なくとも一つの手段をコンピュータに実行させるためのプログラム。
【発明の詳細な説明】
【技術分野】
【０００１】
本発明は、加熱調理装置をネットワーク接続された情報端末装置より機器の状態を確認するシステムおよびそのプログラムに関するものである。
【背景技術】
【０００２】
近年、通信回線を利用して（予めサービス契約をした企業の）センターサーバとの間で、宅内機器の状態データをセンターサーバに送信し、センターサーバから宅内機器の拡張機能用データをダウンロードし、一方、宅内機器との間で、宅内機器から機器状態データを受信して閲覧し、宅内機器へ運転コースなどの機器制御データを送信して機器の運転コース内容を自由に設定したり、機器の電源入り切りなど機器制御を行う情報端末装置が普及し始めている（例えば特許文献１参照）。
【０００３】
さらに、最近では、情報端末装置と加熱調理装置からなる加熱調理システムにおいて、使用者が通信回線（インターネットなど）を利用して（加熱調理装置の製造元である）企業のセンターサーバから好みの運転コース（調理コース）を情報端末装置にダウンロードし、ダウンロードした運転コースを加熱調理装置に転送して実行する構成も提案されており、以下、その構成について説明する（例えば特許文献２参照）。
【０００４】
図９は従来この種の加熱調理システムのシステムブロック図であり、１は加熱調理装置（高周波加熱装置）、２は情報端末装置である。これら高周波加熱装置１と情報端末装置２との間は、後述する無線による通信手段によって通信が行われる。
【０００５】
図１０は高周波加熱装置１の内部ブロック図であり、ターンテーブル３は（図示はしないが）食品を収納する加熱室底部に回転中心軸を鉛直方向に有して回転自在に設けられ、高周波発振器４は高圧トランス５の電圧に応じて高周波を食品に照射して食品自体の分子運動を活発にさせて加熱するものである。ヒータ６は（ハンバーグやグラタンなど）オーブン調理を行う際に使用する。温度測定手段７は加熱室内部の温度を計測し、重量測定手段８は食品の重量を計測するものである。
【０００６】
高周波加熱制御手段９は、マイクロコンピュータなどで構成し、温度測定手段７、重量測定手段８の出力を入力し、操作手段１０により設定された設定内容を表示手段１１に表示しつつ、設定内容に基づき、ターンテーブル３、高圧トランス５、ヒータ６などの動作を制御するものである。ブザー手段１２は調理終了時などに終了ブザーを吹鳴するものであり、データ通信手段１３ａは高周波加熱制御手段９が把握している高周波加熱装置１の運転状態および機器制御に関するデータを情報端末装置２との間で無線にて送受信するものである。
【０００７】
図１１は情報端末装置２の内部ブロック図、図１２は情報端末装置２の正面図、図１３は後述する表示手段（液晶画面）に表示する画面内容の一例であり、１４はカラー画像も表示可能な液晶画面（表示手段）、１５は表示手段１４の画面上に設けた透明フィルム状のタッチパネル（入力設定手段）である。図１３に示すように、例えば表示手段１４にて表示した表示内容１４ａにて、使用者が「スタートボタン（画像）」１４ｂを押下した場合、画面上に設けられたタッチパネル（入力設定手段）１５は（あたかも）ボタンを押下したかように出力を行う。１６はスピーカ（音声出力手段）であり確認音や警告音などのブザー音を吹鳴するものである。１７は情報端末装置２の制御手段であり入力設定手段１５からの出力を入力し、高周波加熱装置１の制御データをデータ通信手段１３ｂへ出力することにより高周波加熱装置１へ運転開始などの制御データを転送する。また、データ通信手段１３ｂにて高周波加熱装置１から（アンテナ部１３ｃを経由して）受け取った高周波加熱装置１の運転状態を表示手段１４にて表示し、音声出力手段１６にてブザー音を吹鳴させるものである。
【０００８】
上記構成において動作を説明する。
【０００９】
まず、使用者は加熱調理する食品を（図示はしないが）加熱室のターンテーブル３上に乗せたあと、操作手段１０にて調理時間などの運転コース内容を設定し（この時、設定内容は表示手段１２に表示され）運転コースを開始すると、高周波加熱制御手段９は、重量測定手段８により加熱する食品の重量を測定した後、ターンテーブル３を動作させてテーブル上の食品を回転させながら、食品の重量に応じた高圧トランス５の電圧値を設定することにより高周波発振器４をコントロールしながら温度測定手段７が目標とする温度に到達するまで高周波加熱を行い、調理終了のタイミングでブザー手段１２により終了ブザー（ピーピーピー音）を吹鳴させて運転コースを終了する。
【００１０】
次に、高周波加熱装置１の機器状態を情報端末装置２にて確認する機器状態モニター機能について、図を参照しながら説明する。
【００１１】
図１０において、高周波加熱制御手段９は高周波加熱装置１における運転コースの（調理時間などの）設定内容、および、重量測定手段８により加熱する食品の重量や、温度測定手段７による加熱室内の温度などを常に把握しており、これらの設定内容に応じてターンテーブル３、高圧トランス５、ヒータ６を逐次制御する。一方で、高周波加熱制御手段２５は、これらの設定内容や現在進行中の状態、電源入り切りの状態など高周波加熱装置１の運転状態に関するデータをデータ送信手段１３ａに出力し、データ送信手段１３ａは情報端末装置２のデータ送信手段１３ｂに対して（無線による）データ信号を出力する。
【００１２】
図１１において、情報端末装置２の制御手段１７はデータ送信手段１３ｂを介して高周波加熱装置１から運転状態に関するデータを受け取ることにより、常に高周波加熱装置１の運転状態を把握することが可能となり、表示手段１４に高周波加熱装置１の運転状態を表示する。
【００１３】
ここで、表示手段１４に表示する高周波加熱装置１の運転状態について説明する。図１４のフローチャートに示すように、情報端末装置２の制御手段１７は高周波加熱装置１が運転コースを開始したことを知ると、Ｓ１にて運転コースに設定されている設定内容、この場合であれば調理コースがハンバーグステーキコースであり、運転状態が調理中であり、調理を終了するまでに要する目安の時間が３分３０秒である旨を表示手段１４に図１３のように表示し、Ｓ２にて運転コース（調理コースの内容）を終えた場合、Ｓ３にて運転状態が調理中であると表示していた部分を消去し、Ｓ４にて表示手段１４に図１５の調理終了画面１４ｄをポップアップ（割り込み）表示する。
【００１４】
ここで、ポップアップ（割り込み）表示について説明するが、図１６に示すように、近年の表示手段１４は制御手段１７の出力設定により、通常の表示内容１４ａ（この場合は、高周波加熱装置１の運転状態の表示）に上書きせず覆い被さるように調理終了画面１４ｄを割り込み表示させることが可能であり、この割り込み表示の方法を一般的にポップアップ表示と呼んでいる。ポップアップ（割り込み）による表示は、高周波加熱装置１の運転コースの終了時や、高周波加熱装置１にて高温異常などの異常が発生した場合など突発して発生した事象を使用者に知らしめる場合に用いられ、ポップアップ（割り込み）表示した画面（この場合は調理終了画面）１４ｄは、同じ画面上に設けられた（この場合）「確認（画像）」１４ｅを押下した場合、（画面上に設けられたタッチパネル（入力手段）１５を介して）割り込み表示した画面１４ｄは消去され、その下に隠れていた通常の表示画面１４ａが表示される。
【特許文献１】特開２００２−１８６０５７号公報
【特許文献２】特開２００３−４７０７４号公報
【発明の開示】
【発明が解決しようとする課題】
【００１５】
しかしながら、前記従来の構成では、例えば、使用者がキッチンに設置している高周波加熱装置１に立ち会い（１分だけ食品を加熱するなど）短時間で終了する運転コースを行った場合、使用者は（高周波加熱装置１の目の前にいるので）高周波加熱装置１のブザー手段１２にて報知する終了ブザー音により運転コースの終了を容易に知ることできるが、運転終了時に高周波加熱制御手段９は運転状態が終了したことを情報端末装置２へ送信し、情報端末装置２の制御手段１７は、図１４のフローチャートに示したように一義的に調理終了画面１４ｄを表示するため、この例で言えば、キッチンにて高周波加熱装置１運転コースの終了を知った使用者は、居間に戻ると（居間の壁に設置されている）情報端末装置２の表示手段１４にて（わかりきった）調理終了画面１４ｄを見ることになるばかりか、表示手段１４に調理終了画面１４ｄを表示させることは調理終了画面を消去するための操作（図１５で言えば「確認」ボタン１４ｅの押下）を伴うため、余計な手間を増やし操作勝手を低下させる言う課題を有していた。
【００１６】
本発明は、前記従来の課題を解決するもので、使用者が高周波加熱装置１に立ち会うなどして（１分だけ食品を加熱するなど）短時間で終了する運転コースを行った場合においても、情報端末装置の表示手段に適切な内容を表示する加熱調理システムを提供することを目的とする。
【課題を解決するための手段】
【００１７】
前記従来の課題を解決するために、本発明の加熱調理システムおよびそのプログラムは、加熱調理装置の運転コース終了時に、運転に要した時間が所定時間に満たない場合、前記表示手段に調理終了画面を表示しないようにしたものである。
【００１８】
これによって、使用者が高周波加熱装置１に立ち会うなどして（１分だけ食品を加熱するなど）短時間で終了する運転コースを行った場合には、例えば高周波加熱装置１がブザー手段１２にて報知する終了ブザー音により運転コースの終了を知った使用者に改めて情報端末装置２にて（わかりきった）調理終了画面を見せることもなくなり、さらに、余計な調理終了画面を消去する手間も軽減できるため操作勝手の向上を達成できる。
【発明の効果】
【００１９】
本発明の加熱調理システムおよびそのプログラムは、加熱調理装置の運転コース終了時に、運転に要した時間が所定時間に満たない場合、表示手段に調理終了画面を表示しないようにしたものであり、つまり、使用者が加熱調理装置に立ち会うなどして（１分だけ食品を加熱するなど）短時間で終了する運転コースを行った場合には、加熱調理装置がブザー手段にて報知する運転終了ブザー音により運転の終了を知った使用者に対して、情報端末装置の表示画面にて（わかりきった）調理終了画面を改めて見せることもなくなり、さらに、余計な調理終了画面を消去する手間も軽減できるため操作勝手の向上を達成できる。
【発明を実施するための最良の形態】
【００２０】
第１の発明は、加熱調理装置の運転状態を確認する情報端末装置を備えた加熱調理システムであり、前記加熱調理装置と前記情報端末装置は運転状態などのデータを送信または受信するデータ通信手段を、前記情報端末装置は前記加熱調理装置の運転状態などを表示する表示手段とを備え、前記情報端末装置は、前記加熱調理装置の運転終了時に、運転コースに要した時間が所定時間に満たない場合、前記表示手段に調理終了画面を表示しないようにしたことにより、使用者が加熱調理装置に立ち会うなどして（１分だけ食品を加熱するなど）短時間で終了する運転コースを行った場合、加熱調理装置がブザー手段１２にて報知する運転終了ブザー音により運転の終了を知った使用者に対して、情報端末装置の表示画面にて（わかりきった）調理終了画面を改めて見せることもなくなり、さらに、余計な調理終了画面を消去する手間も軽減できるため操作勝手の向上を達成できる。
【００２１】
第２の発明は、特に、第１の発明の加熱調理システムにて、情報端末装置は、加熱調理装置の運転コースに要した時間と比較する時間を設定する比較時間設定手段を備えたことにより、つまり、短時間の運転と判断する時間を自由に設定できるため、電子レンジの使用される環境下において、例えば、家族構成の違いによる調理する食品の量（４人前なのか、２人前なのか）や食品の種別（温めやすい食品か？冷凍食品か？）に影響を受けて変動する運転コースのばらつきに対しても相応の比較時間を設定できる。
【００２２】
第３の発明は、特に、第１の発明の加熱調理システムにて、情報端末装置は、調理終了画面を表示するか否かを設定する画面表示設定手段を備え、前記情報端末装置は、前記画面表示手段にて調理終了画面を表示する設定を行った場合、前記表示手段に一義的に調理終了画面を表示するようにしたことにより、二世帯住宅や共同施設にて複数人が加熱調理装置を共同利用するなどの理由から（たとえ使用者が運転の終了を知ったとしても、他の人に対して運転終了を知らしめなければならないケースにて）いかなる場合においても情報端末装置による運転終了の報知が必要な場合においても、画面表示設定手段の設定により調理終了画面の表示可否を選択することができる。
【００２３】
第４の発明は、特に、第１〜３のいずれか１つの発明の加熱調理システムの機能の少なくとも一つをコンピュータに実現させるためのプログラムである。この構成によれば、加熱調理システムは、加熱調理装置の運転コース終了時に、運転に要した時間が所定時間に満たない場合、表示手段に調理終了画面を表示しないようにしたものであり、使用者が加熱調理装置に立ち会い１分程度の温め加熱だけを行うなど短時間で終了する運転コースを行った場合、情報端末装置の表示画面にて調理終了画面を表示しないことから余計な調理終了画面を消去する手間も軽減できる。また、プログラムであるので、電気・情報機器、コンピュータ、サーバー等のハードリソースを協働させて本発明の加熱調理システムの少なくとも一部を容易に実現することができる。また記録媒体に記録したり通信回線を用いてプログラムを配信したりすることでプログラムの配布・更新やそのインストール作業が簡単にできる。
【００２４】
以下、本発明の実施の形態について、図面を参照しながら説明する。なお、この実施の形態によって本発明が限定されるものではない。なお、前記背景技術と同じ構成のものは同一符号を付して説明を省略する。
【００２５】
（実施の形態１）
図１は、本実施の形態１の加熱調理システムのシステムブロック図、図２は、加熱調理装置（高周波加熱装置）の内部ブロック図、図３は、情報端末装置の内部ブロック図、図４は、情報端末装置における制御手段の要部動作を示すフローチャートである。なお、情報端末装置１８、制御手段１９と表記している以外は従来の構成と同じである。
【００２６】
以上のように構成された加熱調理システムについて、以下その動作、作用を説明する。
【００２７】
使用者が（従来の構成と同様に）高周波加熱装置１の操作手段１０にて運転コースを開始すると、データ通信手段１３ａおよび１３ｂを介して、情報端末装置１８の制御手段１９は高周波加熱装置１が運転コースを開始したことを知り、図４に示したフローチャートのＳ５にて運転時間の計測を開始し、Ｓ１にて運転コースに設定されている設定内容（この場合であれば）調理コースがハンバーグステーキコースであり、運転状態が調理中であり、調理を終了するまでに要する目安の時間が３分３０秒である旨を表示手段１４に図１３のように表示する。
【００２８】
Ｓ２にて運転コース（調理コースの内容）を終えた場合、Ｓ３にて運転状態が調理中であると表示していた部分を消去し、Ｓ６にて運転時間の計測を終了し、制御手段１９がＳ７にて運転に要した時間（計測した運転時間）が５分未満であれば短時間の運転と判断して、つまり、使用者が高周波加熱装置１の目の前におり運転の終了を高周波加熱装置１の終了ブザー吹鳴などにより知り得たと判断して、Ｓ４の調理終了画面１４ｄの表示を行うことなく終了する。
【００２９】
これにより、使用者が高周波加熱装置に立ち会うなどして（食品を１分だけ加熱するなど）短時間で終了する運転コースを行った場合、高周波加熱装置がブザー手段１２にて報知する運転終了ブザー音により運転の終了を知った使用者に対して、情報端末装置の表示画面にて（わかりきった）調理終了画面を改めて見せることもなくなり、さらに、余計な調理終了画面を消去する手間も軽減できるため操作勝手の向上を達成できる。
【００３０】
なお、本実施の形態では、データ送信手段１３ａおよび１３ｂは、高周波加熱装置１と情報端末装置１８との間で運転状態や制御データを双方向にて送受信するように示したが、高周波加熱装置１の運転状態のデータを情報端末装置１８に対して送信する片方向の通信形態をとっても構わない。
【００３１】
また、本実施の形態では、通信媒体として無線を用いているが、専用線による有線通信、電灯線搬送通信、赤外線通信、光ファイバ通信など、いずれの通信媒体を用いても同様の効果を有するものである。
【００３２】
さらに、本実施の形態では、運転コースが短時間の運転と判断した時間を５分と具体的に示したが、この値は本発明を限定するものではない。
【００３３】
（実施の形態２）
図５は、本実施の形態２の情報端末装置１８の内部ブロック図、図６は、情報端末装置１８における制御手段１９の要部動作を示すフローチャートである。なお、情報端末装置の内部ブロック図にて、２０は運転コースが短時間の運転か否かを判断する際に運転時間と比較する比較時間を設定する比較時間設定手段であり、運転コースの開始前に比較時間を設定しておく。その他は実施の形態１と同じ構成である。
【００３４】
以上のように構成された高周波加熱システムについて、以下その動作、作用を説明する。
【００３５】
使用者が本発明の実施の形態１と同様に、高周波加熱装置１の運転コースを開始すると、Ｓ１からＳ６までの説明は省略するが、Ｓ８にてあらかじめ比較時間設定手段２０にて設定された比較時間を呼出し、Ｓ９にて運転に要した時間（計測した運転時間）と比較時間とを比べて、運転時間の値が比較時間の値に満たない場合であれば短時間の運転と判断して、つまり、使用者が高周波加熱装置１の目の前におり運転の終了を高周波加熱装置１の終了ブザー吹鳴などにより知り得たと判断して、Ｓ４の調理終了画面１４ｄの表示を行うことなく終了する。
【００３６】
これにより、つまり、短時間の運転と判断する時間を自由に設定できるため、電子レンジの使用される環境下において、例えば、家族構成の違いによる調理する食品の量（４人前なのか、２人前なのか）や食品の種別（温めやすい食品か？冷凍食品か？）に影響を受けて変動する運転コースのばらつきに対しても相応の比較時間を設定できる。
【００３７】
（実施の形態３）
図７は、本実施の形態３における情報端末装置の内部ブロック図、図８は、情報端末装置１８における制御手段１９の要部動作を示すフローチャートである。画面表示設定手段２１は、情報端末装置に運転コースの終了画面を表示するか否かを設定するものであり、運転コースの開始前に表示をするか否かを設定しておく。その他は実施の形態１の構成と同様である。
【００３８】
以上のように構成された高周波加熱システムについて、以下その動作、作用を説明する。
【００３９】
使用者が本発明の実施の形態１と同様に、高周波加熱装置１の運転コースを開始すると、Ｓ１からＳ６までの説明は省略するが、Ｓ１０にてあらかじめ画面表示設定手段２１にて設定された設定内容を呼出し、Ｓ１１にて画面表示設定手段２１の設定が終了画面を表示する設定の場合、（運転コースがが短時間の運転であったか否かは関係なく）Ｓ４にて表示手段１４に調理終了画面１４ｄの表示して終了する。
【００４０】
これにより、二世帯住宅や共同施設にて複数人が高周波加熱装置を共同利用するなどの理由から（たとえ使用者が運転の終了を知ったとしても、他の人に対して運転終了を知らしめなければならないケースにて）いかなるばあいにも情報端末装置による運転終了の報知が必要な場合においても、画面表示設定手段の設定により調理終了画面の表示可否を選択することができる。
【００４１】
なお、本実施の形態では、高周波加熱装置で説明したがこれにかぎるものでなく、オーブンやトースターなど加熱で調理する機器であればよい。
【００４２】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【００４３】
以上のように、本発明にかかる加熱調理システムおよびそのプログラムは、使用者が加熱調理装置に付ききりで食品を１分程度だけ温めるなど短時間で終了する運転コースを行う場合に、使用者は目の前の加熱調理装置が運転終了したことを容易に知ることが可能であり、情報端末装置の表示画面にて（わかりきった）調理終了画面を改めて表示させないことにより、余計な調理終了画面を消去する手間も軽減させることから使い勝手の向上が可能となるので、同様にして、情報端末装置にネットワーク接続された洗濯機などの家電製品の運転操作に応じて、場合によって（情報端末装置の）表示手段への画面表示を抑制するなどの用途にも適用できる。
【図面の簡単な説明】
【００４４】
【図１】本発明の実施の形態１の加熱調理システムのシステムブロック図
【図２】本発明の実施の形態１の高周波加熱装置の内部ブロック図
【図３】本発明の実施の形態１の情報端末装置の内部ブロック図
【図４】本発明の実施の形態１の制御手段の動作フローチャート
【図５】本発明の実施の形態２の情報端末装置の内部ブロック図
【図６】本発明の実施の形態２の制御手段の動作フローチャート
【図７】本発明の実施の形態３の情報端末装置の内部ブロック図
【図８】本発明の実施の形態３の制御手段の動作フローチャート
【図９】従来の高周波加熱システムのシステムブロック図
【図１０】従来の高周波加熱装置の内部ブロック図
【図１１】従来の情報端末装置の内部ブロック図
【図１２】従来の情報端末装置の正面図
【図１３】従来の表示手段に表示する機器状態表示画面の図
【図１４】従来の高周波加熱システムの制御手段の動作フローチャート
【図１５】従来の表示手段に表示する調理終了画面の図
【図１６】従来の表示手段に表示する機器状態表示画面と調理終了画面の図
【符号の説明】
【００４５】
１  高周波加熱装置（加熱調理装置）
９  高周波加熱制御手段
１３ａ  高周波加熱装置のデータ通信手段
１３ｂ  情報端末装置のデータ通信手段
１４  表示手段
１５  入力手段
１６  音声出力手段
１８  情報端末装置
１９  制御手段
２０  比較時間設定手段
２１  画面表示設定手段
【図１】
2005207693.tif 000003
【図２】
2005207693.tif 000004
【図３】
2005207693.tif 000005
【図４】
2005207693.tif 000006
【図５】
2005207693.tif 000007
【図６】
2005207693.tif 000008
【図７】
2005207693.tif 000009
【図８】
2005207693.tif 000010
【図９】
2005207693.tif 000011
【図１０】
2005207693.tif 000012
【図１１】
2005207693.tif 000013
【図１２】
2005207693.tif 000014
【図１３】
2005207693.tif 000015
【図１４】
2005207693.tif 000016
【図１５】
2005207693.tif 000017
【図１６】
2005207693.tif 000018